(57)【特許請求の範囲】
【請求項１】
天然歯の順で隣接して排列される４歯の上顎人工臼歯の各歯冠部側を抜き出し可能に収容保持する上顎人工臼歯収容保持部と、前記上顎人工臼歯と対合歯となる４歯の下顎人工臼歯の各歯冠部側を抜き出し可能に収容保持する下顎人工臼歯収容保持部とからなる人工臼歯収容保持部が板状体の表面から裏面へ貫通して設けられた人工臼歯排列用治具であって、
前記上顎人工臼歯収容保持部に前記上顎人工臼歯を収容保持し、前記下顎人工臼歯収容保持部に前記下顎人工臼歯を収容保持した状態において、前記上顎人工臼歯と下顎人工臼歯とが所定の咬合様式で咬合するように前記人工臼歯収容保持部が形成されてなることを特徴とする人工臼歯排列用治具。
【請求項２】
前記所定の咬合様式がフルバランスドオクルージョンとなるように前記人工臼歯収容保持部が形成されていることを特徴とする請求項１記載の人工臼歯排列用治具。
【請求項３】
前記所定の咬合様式がリンガライズドオクルージョンとなるように前記人工臼歯収容保持部が形成されていることを特徴とする請求項１記載の人工臼歯排列用治具。
【請求項４】
前記上顎人工臼歯収容保持部に少なくとも前記上顎人工臼歯の頬側面および舌側面が接触することで前記上顎人工臼歯を収容保持し、
前記下顎人工臼歯収容保持部に少なくとも前記下顎人工臼歯の頬側面および舌側面が接触することで前記下顎人工臼歯を収容保持するように前記人工臼歯収容保持部が形成されてなることを特徴とする請求項１、２または３記載の人工臼歯排列用治具。
【請求項５】
前記上顎人工臼歯収容保持部に前記上顎人工臼歯を収容保持した状態において、前記板状体の表面から少なくとも各上顎人工臼歯の最大豊隆部が露出し、
前記下顎人工臼歯収容保持部に前記下顎人工臼歯を収容保持した状態において、前記板状体の裏面から少なくとも各下顎人工臼歯の最大豊隆部が露出するように前記人工臼歯収容保持部が形成されてなることを特徴とする請求項１、２、３または４記載の人工臼歯排列用治具。
【請求項６】
前記上顎人工臼歯収容保持部に前記上顎人工臼歯を収容保持した状態において、前記板状体の側面から前記４歯の上顎人工臼歯のうち最も近心側の上顎人工臼歯である上顎の第１小臼歯の近心面側が露出し、
前記下顎人工臼歯収容保持部に前記下顎人工臼歯を収容保持した状態において、前記板状体の側面から前記４歯の下顎人工臼歯のうち最も近心側の下顎人工臼歯である下顎の第１小臼歯の近心面側が露出するように前記人工臼歯収容保持部が形成されてなることを特徴とする請求項１、２、３、４、または５記載の人工臼歯排列用治具。            
【請求項７】
合成樹脂からなることを特徴とする請求項１〜６のいずれか１項に記載の人工臼歯排列用治具。
【請求項８】
金属からなることを特徴とする請求項１〜６のいずれか１項に記載の人工臼歯排列用治具。
【発明の詳細な説明】
【技術分野】
【０００１】
この発明は、人工臼歯排列用治具に関するものである。さらに詳しくは、この発明は、上下顎の全部床義歯（義歯）の作製に際し、上下顎の咬合堤に４歯の上顎左用人工臼歯とこれと対合歯となる４歯の下顎左用人工臼歯を、４歯の上顎右用人工臼歯とこれと対合歯となる４歯の下顎右用人工臼歯をそれぞれ天然歯の順で隣接して排列するに先立ち、咬合堤とは異なる場所において、上顎人工臼歯と下顎人工臼歯とを所定の咬合様式で咬合した状態と同等な状態に収容保持することができ、上顎人工臼歯の歯頸部側を上顎咬合堤、下顎人工臼歯の歯頸部側を下顎咬合堤に埋設して上下顎人工臼歯を所定の咬合様式で咬合させるのに有用な人工臼歯排列用治具に関するものである。
【背景技術】
【０００２】
人工臼歯（上顎左右の第１小臼歯と第２小臼歯と第１大臼歯と第２大臼歯、下顎左右の第１小臼歯と第２小臼歯と第１大臼歯と第２大臼歯）は、フルバランスドオクルージョン、リンガライズドオクルージョン等の咬合様式に則り、各咬合様式毎にＳ、Ｍ、Ｌ等のサイズのものが製造され、通常、咬合様式、サイズ毎に、上顎左側４歯と上顎右側４歯で１つのセット、下顎左側４歯と下顎右側４歯で１つのセットとされ、それぞれ蝋板に仮止めされた状態で製品化されて市販されている。
全部床義歯の作製は、通常、以下のようにして行われている。すなわち、上下顎の咬合堤に上顎前歯、下顎前歯がそれぞれ排列された後、前記したようなフルバランスドオクルージョン、リンガライズドオクルージョン等といった各種の咬合様式のうちから患者に適した咬合様式を選択し、該咬合様式で、かつ、患者に適したサイズの上顎人工臼歯が仮止めされた蝋板と、下顎人工臼歯が仮止めされた蝋板を選択し、それぞれの蝋板に仮止めされた人工臼歯を取り外し、各人工臼歯を上顎及び下顎の咬合堤に選択した咬合様式となるように排列し、次いで、歯肉を形成して上顎及び下顎の蝋義歯を完成させる。
そして、通法に従い、蝋義歯をフラスコ内に石膏で埋没し、流蝋し、石膏内に生じた空洞に義歯床用の餅状レジンを填入し、餅状レジンを重合硬化させて義歯とした後、石膏から掘り出し、修正、研磨等を施し、患者の口腔内に試適し、必要に応じて更に修正、研磨等を施し義歯を完成させる。
このような多数の行程を経て義歯が完成するが、これらの行程のうち、とりわけ、患者に適するとして選択した咬合様式で咬合するように、各人工臼歯を上顎及び下顎の咬合堤に適切に排列することが重要であるが、これには熟練を要し、煩雑であって、しかも長時間にわたり集中力を持続させること等が必要であって、長期にわたる多大な経験とそれに裏付けされた高度な技能を備えた歯科技工士等であっても容易ではない。
咬合様式が同じでも、蝋板に仮止めされた人工臼歯のサイズが異なれば、人工臼歯の咬合堤への排列は同一ではなく微妙に異なる。当然のことながら、選択する咬合様式が異なれば、その咬合様式に適した人工臼歯が仮止めされた蝋板のうちから、患者に適したサイズの人工臼歯が仮止めされている蝋板を選択し、人工臼歯を取り外し、上顎及び下顎の咬合堤に排列することになり、これには前記したと同様歯科技工士等の長期にわたる多大の経験と高度な技能を必要とする。
特許文献１には、板の表面側に２歯以上の上顎人工臼歯をその人工臼歯の咬合様式および寸法に対応した標準的な排列基準で保持でき且つその保持状態から容易に引き抜きうるように人工臼歯の咬合面側（歯冠部側）が嵌入される凹部が表面側の凹部として形成され、裏面側に２歯以上の下顎人工臼歯をその人工臼歯の咬合様式および寸法に対応した標準的な排列基準で保持でき且つその保持状態から容易に引き抜きうるように人工臼歯の咬合面側が嵌入される凹部が裏面側の凹部として形成され、さらに、表面側の凹部と裏面側の凹部との各咬頭と窩との咬合接触点部間を連通させる穴が穿設された人工臼歯排列用ガイド板が提案されている。
【先行技術文献】
【特許文献】
【０００３】
【特許文献１】特開平６−２２９９０号公報
【発明の概要】
【発明が解決しようとする課題】
【０００４】
この人工臼歯排列用ガイド板に、例えば、その表面側の凹部に上顎人工臼歯を嵌入させ、裏面側の凹部に下顎人工臼歯を嵌入させ、上顎人工臼歯の咬合堤側をワックス又は即時重合レジンで連結して上顎連結人工臼歯とし、同様に、下顎人工臼歯の歯頸部側をワックス又は即時重合レジンで固定して連結して上顎連結人工臼歯とする。その後、上下顎用の連結人工臼歯の一方、例えば、下顎連結人工臼歯を人工臼歯排列用ガイド板から引き抜き、穴を利用して、例えば、油性ペン等で上顎連結人工臼歯の咬頭と窩にマーキングを行い、次いで、マーキングを行った上顎連結人工臼歯を引き抜き、先に取り外した下顎連結人工臼歯を再度裏面側の凹部に嵌入させ、穴を利用して下顎連結人工臼歯の咬頭と窩にマーキングを行った後、下顎連結人工臼歯を再度引き抜く。そして、咬頭と窩にマーキングが施された上顎連結人工臼歯、及び、咬頭と窩にマーキングが施された下顎連結人工臼歯を用いて、咬合器に装着した作業模型に設けた上下顎用の咬合堤に上下顎連結人工臼歯をそれぞれ排列する。
この人工臼歯排列用ガイド板の表面側の凹部と裏面側の凹部との各咬頭と窩との咬合接触点部間を連通させる穴を利用して、油性ペン等でマーキングを行うことから、マーキングはある程度の範囲の大きさのものとならざるをえず、また、その位置にばらつきが生じることは避けがたく、上顎人工臼歯と下顎人工臼歯の咬合接触点を正確に表示することにはなりがたい。
そこで、例えば、咬合器に装着した上顎用作業模型に設けた上顎咬合堤に、上顎連結人工臼歯の歯頸部側をワックススパチュラ等を用いて埋設して人工臼歯を排列した後、上顎咬合堤に排列された上顎人工臼歯の咬頭に施されたマーキングと対合歯となる下顎人工臼歯の窩に施されたマーキング、上顎人工臼歯の窩に施されたマーキングと対合歯となる下顎人工臼歯の咬頭に施されたマーキングとが合致すると見なされるおおよその位置に、ワックススパチュラ等を用いて下顎連結人工臼歯の歯頸部側を咬合器に装着された下顎用作業模型に設けられた下顎咬合堤に埋設する。
その後、下顎人工臼歯の咬頭に施されたマーキングを対合歯である上顎人工臼歯の窩に施されたマーキングに合致させ、下顎人工臼歯の窩に施されたマーキングを対合歯である上顎人工臼歯の咬頭に施されたマーキングに合致させ、所定の咬合様式で咬合することになるように、下顎用作業模型に対し上顎用作業模型を咬合器において開閉を繰り返し、ワックススパチュラ等を用いて下顎連結人工臼歯の位置の微調整を行う。しかしながら、そのようにしたとしても、前記したように人工臼歯に施したマーキングは、ある程度の範囲の大きさがあり、また、その位置にはばらつきが生じることは避けがたく、そして、とりわけ、上顎人工臼歯の咬頭と窩と対合歯となる下顎人工臼歯の窩と咬頭を咬合させようと下顎用作業模型に対し上顎用作業模型を咬合器において閉じると、上顎人工臼歯の咬頭と窩のマーキングおよび下顎人工臼歯の咬頭と窩のマーキングは隠れて見えなくなる（すなわち、咬合面は観察できない。）ことから、果たして、所定の咬合様式の咬合が得られたかどうかの確認は困難であって定かではない。従って、これらマーキングは上顎人工臼歯と対合歯となる下顎人工臼歯の所定の咬合様式での咬合にとっての目安程度の意味しかなく、結局、最終的には、このようなマーキングにたよることなく、通法に従って人工臼歯を排列すると同様に、ワックススパチュラ等を用いて下顎連結人工臼歯を微調整し、その都度、上顎人工臼歯と対合歯となる下顎人工臼歯の咬合状態を咬合紙を用いて確認したり、場合によっては、所定の咬合様式の咬合が得られるように人工臼歯の咬合面側を削合したりすることになる。
この発明は、上記のような実情に鑑み鋭意研究の結果創案されたものであり、義歯の作製に際し、咬合堤に人工臼歯を排列するに先立ち、咬合堤とは異なる場所において、患者に適した所定の咬合様式とサイズの４歯の上顎人工臼歯と４歯の下顎人工臼歯とを当該咬合様式で咬合した状態と同等な状態に収容保持でき、上顎人工臼歯の歯頸部側を上顎咬合堤、下顎人工臼歯の歯頸部側を下顎咬合堤に埋設して上下顎人工臼歯を所定の咬合様式で咬合させるのに有用な人工臼歯排列用治具を提供することを目的としている。
【課題を解決するための手段】
【０００５】
上記課題を解決するために、この発明は、（１）天然歯の順で隣接して排列される４歯の上顎人工臼歯の各歯冠部側を抜き出し可能に収容保持する上顎人工臼歯収容保持部と、前記上顎人工臼歯と対合歯となる４歯の下顎人工臼歯の各歯冠部側を抜き出し可能に収容保持する下顎人工臼歯収容保持部とからなる人工臼歯収容保持部が板状体の表面から裏面へ貫通して設けられた人工臼歯排列用治具であって、前記上顎人工臼歯収容保持部に前記上顎人工臼歯を収容保持し、前記下顎人工臼歯収容保持部に前記下顎人工臼歯を収容保持した状態において、前記上顎人工臼歯と下顎人工臼歯とが所定の咬合様式で咬合するように前記人工臼歯収容保持部が形成されてなることを特徴とする。
（２）前記（１）において、前記所定の咬合様式がフルバランスドオクルージョンとなるように前記人工臼歯収容保持部が形成されていてもよい。
（３）前記（２）において、前記所定の咬合様式がリンガライズドオクルージョンとなるように前記人工臼歯収容保持部が形成されていてもよい。
（４）前記（１）、（２）または（３）において、前記上顎人工臼歯収容保持部に少なくとも前記上顎人工臼歯の頬側面および舌側面が接触することで前記上顎人工臼歯を収容保持し、前記下顎人工臼歯収容保持部に少なくとも前記下顎人工臼歯の頬側面および舌側面が接触することで前記下顎人工臼歯を収容保持するように前記人工臼歯収容保持部が形成されてなることが好ましい。
（５）前記（１）、（２）、（３）または（４）において、前記上顎人工臼歯収容保持部に前記上顎人工臼歯を収容保持した状態において、前記板状体の表面から少なくとも各上顎人工臼歯の最大豊隆部が露出し、前記下顎人工臼歯収容保持部に前記下顎人工臼歯を収容保持した状態において、前記板状体の裏面から少なくとも各下顎人工臼歯の最大豊隆部が露出するように前記人工臼歯収容保持部が形成されてなることが好ましい。
（６）前記（１）、（２）、（３）、（４）または（５）において、前記板状体の側面から前記４歯の上顎人工臼歯のうち最も近心側の上顎人工臼歯である上顎の第１小臼歯の近心面側が露出し、前記下顎人工臼歯収容保持部に前記下顎人工臼歯を収容保持した状態において、前記板状体の側面から前記４歯の下顎人工臼歯のうち最も近心側の下顎人工臼歯である下顎の第１小臼歯の近心面側が露出するように前記人工臼歯収容保持部が形成されてなることが好ましい。
（７）前記（１）〜（６）のいずれかにおいて、合成樹脂からなるものであってもよい。
（８）前記（１）〜（６）のいずれかにおいて、金属からなるものであってもよい。
【発明の効果】
【０００６】
この発明は、以上説明したように構成されているので、以下に記載されるような効果を奏する。
すなわち、義歯の作製に際し、咬合床（より具体的には、咬合堤）に人工臼歯を排列するのに先立ち、患者に適した咬合様式とサイズの上顎人工臼歯を仮止めした蝋板と、前記上顎人工臼歯と対合歯となる下顎人工臼歯を仮止めした蝋板を選択し、これら蝋板から必要とする天然歯の順で隣接した４歯の上顎人工臼歯とこれと対合歯となる４歯の下顎人工臼歯を取り外し、これら人工臼歯に適した人工臼歯排列用治具を用い、その上顎人工臼歯収容保持部に取り外した上顎人工臼歯の各歯冠部側を収容保持し、下顎人工臼歯収容保持部に取り外した下顎人工臼歯の各歯冠部側を収容保持するだけで、上顎人工臼歯と下顎人工臼歯は患者に適した所定の咬合様式で咬合した状態と同等な状態が人工臼歯排列用治具において得られることになるのであって、換言すれば、人工臼歯排列用治具を用いることで、咬合器に装着された上顎用作業模型に設けられた上顎咬合堤や下顎用作業模型に設けられた下顎咬合堤とは異なる場所において、事前に、上顎人工臼歯を上顎咬合堤、下顎人工臼歯を下顎咬合堤に排列するべき排列状態と同等な状態に、熟練を要することなく容易、迅速かつ確実にできることになる。
従って、この発明の人工臼歯排列用治具を用いれば、患者に適した所定の咬合様式とサイズの上顎人工臼歯の４歯とこれと対合歯となる下顎人工臼歯の４歯を、それぞれ、上顎咬合堤と下顎咬合堤に高精度で適切に排列することが、熟練を要することなく容易、迅速かつ確実に行えるのであって、そのため、排列後歯肉を形成すれば、適切な蝋義歯（上顎蝋義歯、下顎蝋義歯）、ひいては、患者に適した咬合関係を有する高品質で、高精度な義歯を安価に、迅速、確実かつ容易に作製できることになる。
【０００７】
より具体的に以下説明する。
この発明の人工臼歯排列用治具を用いて、蝋義歯、ひいては、義歯を作製するには、実際には、左用の人工臼歯排列用治具と右用の人工臼歯排列用治具を用いて作製することになる。
例えば、選択した４歯の上顎左用人工臼歯または４歯の下顎左用人工臼歯のいずれか一方の顎用の人工臼歯（以下、便宜上、これを上顎左用人工臼歯とする。）の各歯冠部側を左用の人工臼歯排列用治具の上顎人工臼歯収容保持部に収容保持し、ワックス（蝋）または即時重合レジン等（以下、これらを区別しない場合は、ワックス等という。）で連結して左用の上顎連結人工臼歯を得、該左用の上顎連結人工臼歯を上顎人工臼歯収容保持部から抜き出し、咬合器に上顎咬合床が設けられた上顎作業模型が装着された状態において、通法に従って、ワックススパチュラ等を用い上顎咬合堤の蝋を切除または溶融したり軟化させたりして適量除去する等の操作を行った後、咬合器が閉じた状態において、仮想咬合平面（咬合平面板を利用する場合、下顎咬合堤の上面を利用する場合等がある。）を基準とし、仮想咬合平面と左用の上顎連結人工臼歯の各人工臼歯の咬頭との距離がそれぞれ所定の距離となるように調整等して、ワックススパチュラ等を用い、左用の上顎連結人工臼歯の歯頸部側を、通法に従って、上顎咬合堤に埋設して排列する。
【０００８】
４歯の上顎右用人工臼歯の上顎咬合堤への排列には、右用の人工臼歯排列用治具を用い、前記した４歯の上顎左用人工臼歯の上顎咬合堤への排列操作と同様にして行えばよいことから詳細な説明は省略する。
このような操作は、この発明の人工臼歯排列用治具を用いて得られた上顎連結人工臼歯を使用することから、熟練を要することなく容易で、迅速かつ確実に行える。
なお、この排列において、咬合平面板を用いていた場合は、咬合器が開いた状態において、これを取り除き、咬合器に下顎咬合床が設けられた下顎作業模型を装着（咬合器に下顎作業模型を装着した後、下顎作業模型に下顎咬合床を取り付けるようにしてもよい。）して、４歯の下顎左用人工臼歯と４歯の下顎右用人工臼歯を下顎咬合堤に排列する準備をする。ここにおいて、咬合器には、左用と右用の上顎連結人工臼歯が排列された上顎咬合床が設けられた上顎作業模型と、下顎咬合床が設けられた下顎作業模型とが装着されていることになる。
【０００９】
咬合器が開いた状態において、排列された左用の上顎連結人工臼歯の歯冠部側に左用の人工臼歯排列用治具を戻して上顎連結人工臼歯が上顎人工臼歯収容保持部に収容保持された状態にし、次いで、下顎人工臼歯収容保持部に４歯の下顎左用人工臼歯の各歯冠部側を収容保持させる。これによって、左用の上顎連結人工臼歯と下顎左用人工臼歯は左用の人工臼歯排列用治具に所定の咬合様式で咬合した状態と同等な状態となる。
通法に従って、ワックススパチュラ等を用い下顎咬合堤の蝋を切除または溶融したり軟化させたりして適量除去する等の操作を行った後、咬合器の閉じた状態において、左用の上顎連結人工臼歯と下顎左用人工臼歯を左用の人工臼歯排列用治具に所定の咬合様式で咬合した状態と同等な状態としたままで、下顎咬合堤に下顎左用人工臼歯の各歯頸部側をワックススパチュラ等を用い、通法に従って、埋設して排列する。
このような操作も、この発明の人工臼歯排列用治具を用いて得られた上顎連結人工臼歯を使用することから、熟練を要することなく容易で、迅速かつ確実に行える。
咬合器を開くと、それに伴って、例えば、左用の人工臼歯排列用治具の上顎人工臼歯収容保持部に上顎連結人工臼歯の歯冠部側を収容保持したままで上顎作業模型が回動する一方、下顎人工臼歯は、各歯冠部側が下顎人工臼歯収容保持部から抜き出され、下顎咬合堤に排列されたまま下顎作業模型に残る。
その後、左用の人工臼歯排列用治具を上顎連結人工臼歯から取り除く。
このような操作も、この発明の人工臼歯排列用治具を用いることで、熟練を要することなく容易で、迅速かつ確実に行える。
【００１０】
４歯の下顎右用人工臼歯の下顎咬合堤への排列には、右用の人工臼歯排列用治具を用い、前記した４歯の下顎左用人工臼歯の下顎咬合堤への排列操作と同様にして行えばよく、また、排列後に右用の人工臼歯排列用治具を取り除く操作も前記した左用の人工臼歯排列用治具を取り除く操作と同様にして行えばよいことから詳細な説明は省略する。
【００１１】
そして、左用と右用の上顎連結人工臼歯が排列された上顎咬合床に、通法に従って、歯肉を形成することで上顎蝋義歯が得られ、同様に、下顎左用人工臼歯と下顎右用人工臼歯が排列された下顎咬合床に、歯肉を形成することで下顎蝋義歯が得られる。
得られた上顎蝋義歯と下顎蝋義歯は、上顎連結人工臼歯と下顎人工臼歯とが患者に適した咬合様式で咬合することになる。
【００１２】
通法に従って、上顎蝋義歯および下顎蝋義歯をそれぞれフラスコ内に石膏埋没し、流蝋して得られた各空洞に義歯床用の餅状レジンをそれぞれ填入し、餅状レジンを重合硬化させて上顎義歯および下顎義歯を得た後、それぞれを石膏から掘り出し、修正、研磨等施し、患者の口腔内に試適し、必要に応じて咬合器に装着し、修正、研磨等を施し上顎義歯、下顎義歯を完成させ、患者に適した咬合様式で咬合する臼歯を有する義歯を提供することができる。
【００１３】
以上は、この発明の人工臼歯排列用治具を用いて、先に、上顎人工臼歯をワックス等で連結して上顎連結人工臼歯を得るようにしたが、先に、下顎人工臼歯をワックス等で連結して下顎連結人工臼歯を得るようにしてもよい。
この場合の義歯の作製は、前記した上顎連結人工臼歯を用いた義歯の作製に準じて行えばよいことから詳細な説明は省略する。
【００１４】
また、人工臼歯排列用治具を用いて上顎用人工臼歯の各歯冠部側を上顎人工臼歯収容保持部に収容保持するとともに、下顎人工臼歯の各歯冠部側も下顎人工臼歯収容保持部に収容保持し、上下顎の人工臼歯をワックス等で連結して上下顎の連結人工臼歯をそれぞれ得た後、上下顎の人工臼歯収容保持部から抜き出し、得られた上顎連結人工臼歯と下顎連結人工臼歯を用いるようにしてもよい。
この場合は、上顎連結人工臼歯を上顎咬合堤に埋設して排列した後、咬合器が開いた状態において、排列された上顎連結人工臼歯の歯冠部側に人工臼歯排列用治具を戻して上顎連結人工臼歯が上顎人工臼歯収容保持部に収容保持された状態にし、次いで、下顎人工臼歯収容保持部に下顎連結人工臼歯を収容保持させるようにすることが異なるものの、他は同様にすればよいことから詳細な説明は省略する。
【００１５】
ここで、ワックスを用いて人工臼歯を連結した連結人工臼歯の場合は、連結人工臼歯を咬合堤に埋設すると人工臼歯を連結したワックスは咬合堤の蝋と一体となり、連結人工臼歯の排列後、歯肉形成して得られた蝋義歯をフラスコ内に石膏埋没し、流蝋すれば、連結に用いたワックスも一緒に除去できることになる。
【００１６】
また、即時重合レジンを用いて人工臼歯を連結した連結人工臼歯の場合は、該連結人工臼歯を咬合堤に埋設し排列した後、歯肉形成して得られた蝋義歯をフラスコ内に石膏埋没し、流蝋して得られた空洞に義歯床用の餅状レジンを填入し、餅状レジンを重合硬化させれば、即時重合レジンと一体となり義歯床の一部となった義歯が得られる。
【００１７】
以上のように、この発明の人工臼歯排列用治具によれば、人工臼歯を患者に適した咬合様式で咬合するように咬合床に排列するまでの操作は、熟練を要することなく容易であって、しかも迅速かつ確実に行うことができ、患者にとって適切な蝋義歯、ひいては、患者に適した咬合関係を有する高品質で、高精度な義歯を迅速、確実、安価かつ容易に作製できることになる。
【図面の簡単な説明】
【００１８】
【図１】この発明の人工臼歯排列用治具の一実施の形態であって、左用の人工臼歯排列用治具に、上顎左用の第１小臼歯、第２小臼歯、第１大臼歯、第２大臼歯の各歯冠部側、および、下顎左用の第１小臼歯、第２小臼歯、第１大臼歯、第２大臼歯の各歯冠部側が抜き出し可能に収容保持された状態を示し、（ａ）は平面図、（ｂ）はＡ−Ａ線断面図、（ｃ）はＢ−Ｂ線断面図、（ｄ）は底面図である。
【図２】図１に示す人工臼歯排列用治具を製造するための原型となる蝋義歯を示す。
【図３】図２に示す蝋義歯が咬合している状態を示す説明図である。
【図４】図１に示す人工臼歯排列用治具の上顎人工臼歯収容保持部に上顎人工臼歯を収容保持した状態を示し、（ａ）は平面図、（ｂ）Ｃ−Ｃ線断面図である。
【図５】図４に示す人工臼歯排列用治具の上顎人工臼歯収容保持部に収容保持した上顎人工臼歯を、ワックスで連結し上顎連結人工臼歯とした状態を示し、（ａ）は平面図、（ｂ）はＤ−Ｄ線断面図である。説明図である。
【図６】図５に示す人工臼歯排列用治具の上顎人工歯収容保持部から抜き出された上顎連結人工臼歯を示し、（ａ）は基底面図、（ｂ）は舌側面図、（ｃ）は咬合面図である。
【図７】図６に示す上顎連結人工臼歯を上顎咬合堤に排列する操作の説明図である。
【図８】図７に示す上顎咬合堤に排列された上顎連結人工臼歯、図１に示す人工臼歯排列用治具、下顎咬合堤及びこれに排列するための下顎の４種の人工臼歯の関係を示す説明図である。
【図９】図８に示す状態において、下顎人工臼歯を下顎咬合堤に排列した状態を示す説明図である。
【発明を実施するための形態】
【００１９】
以下、図面に基づきこの発明を実施するための形態を更に詳細に説明する。もちろんこの発明は以下の実施の形態によって限定されるものではない。
図１は、この発明の人工臼歯排列用治具の一実施の形態であって、左用の人工臼歯排列用治具を示している。
図１に示される人工臼歯排列用治具１は、上顎左用人工臼歯の４歯とこれと対合関係にある下顎左用人工臼歯の４歯に用いるものであって、板状体２の表面から裏面へ貫通した人工臼歯収容保持部３が設けられており、頬側部４、舌側部５、近心側部６、遠心側部７からなる。
【００２０】
人工臼歯収容保持部３は、上顎人工臼歯収容保持部８と下顎人工臼歯収容保持部９からなり、上顎人工臼歯収容保持部８は板状体２の表面側から、下顎人工臼歯収容保持部９は裏面側から形成されている。
上顎人工臼歯収容保持部８は、上顎左用の第１小臼歯、第２小臼歯、第１大臼歯、第２大臼歯の４歯の各歯冠部側を抜き出し可能にしかも天然歯の順序で隣接して収容保持でき、下顎人工臼歯収容保持部９は、前記上顎人工臼歯と対合歯となる下顎左用の第１小臼歯、第２小臼歯、第１大臼歯、第２大臼歯の４歯の各歯冠部側を抜き出し可能にしかも天然歯の順序で隣接して収容保持でき、上顎人工臼歯収容保持部８に上顎左用の第１小臼歯１１、第２小臼歯１２、第１大臼歯１３、第２大臼歯１４の各歯冠部側を収容保持し、下顎人工臼歯収容保持部９に、下顎左用の第１小臼歯１５、第２小臼歯１６、第１大臼歯１７、第２大臼歯１８の各歯冠部側を収容保持すれば、上顎左用人工臼歯と下顎左用人工臼歯とが、フルバランスドオクルージョンで咬合するようになっている。
従って、このように人工臼歯排列用治具において、上顎左用人工臼歯と下顎左用人工臼歯がフルバランスドオクルージョンで咬合した状態は、上顎左用人工臼歯を咬合器に装着された上顎用作業模型に設けられた上顎咬合堤、下顎左用人工臼歯を下顎用作業模型に設けられた下顎咬合堤にそれぞれ排列するべき状態に排列し、上顎左用人工臼歯と下顎左用人工臼歯がフルバランスドオクルージョンで咬合した状態と同等な状態であり、事前に咬合堤とは異なる場所においてフルバランスドオクルージョンで咬合した状態にできることを意味する。
【００２１】
上顎人工臼歯収容保持部８の頬側内壁面は上顎人工臼歯である第１小臼歯１１、第２小臼歯１２、第１大臼歯１３、第２大臼歯１４の各頬側面と接触し、舌側内壁面は各舌側面と接触し、遠心内壁面は第２大臼歯１４の遠心面と接触し、近心内壁面は第１小臼歯１１の近心面と接触し、下顎人工臼歯収容保持部９の頬側内壁面は下顎人工臼歯である第１小臼歯１５、第２小臼歯１６、第１大臼歯１７、第２大臼歯１８の各頬側面と接触し、舌側内壁面は各舌側面と接触し、遠心内壁面は第２大臼歯１８の遠心面と接触し、近心内壁面は第１小臼歯１５の近心面と接触して、上顎人工臼歯と下顎人工臼歯とがフルバランスドオクルージョンで咬合するように上顎人工臼歯収容保持部８と下顎人工臼歯収容保持部９とが形成されている。
上顎人工臼歯収容保持部８に上顎左用の第１小臼歯１１、第２小臼歯１２、第１大臼歯１３、第２大臼歯１４の各歯冠部側が収容保持された状態において、各上顎左用人工臼歯の最大豊隆部が板状体２の表面から露出するように上顎人工臼歯収容保持部８が形成されていることで、上顎左用人工臼歯の各歯冠部側が抜き出し可能となっており、下顎人工臼歯収容保持部９に下顎左用の第１小臼歯１５、第２小臼歯１６、第１大臼歯１７、第２大臼歯１８の各歯冠部側が収容保持された状態において、各下顎左用人工臼歯の最大豊隆部が板状体２の裏面から露出するように下顎人工臼歯収容保持部９が形成されていることで、下顎左用人工臼歯の各歯冠部側が抜き出し可能となっている。
人工臼歯排列用治具の近心側部６は、図１（ｂ）に示すように肉薄部分を有し、上顎人工臼歯収容保持部８に上顎左用の第１小臼歯１１、第２小臼歯１２、第１大臼歯１３、第２大臼歯１４の各歯冠部側が収容保持された状態において、第１小臼歯１１の近心面側が近心側部６から露出するようになっており、下顎人工臼歯収容保持部９に下顎左用の第１小臼歯１５、第２小臼歯１６、第１大臼歯１７、第２大臼歯１８の各歯冠部側が収容保持された状態において、第１小臼歯１５の近心面側が近心側部６から露出するようになっている。
これによって、後述するように、既に上顎咬合堤に排列された上顎人工犬歯、下顎咬合堤に排列された下顎人工犬歯があっても、人工臼歯排列用治具が支障なく使用できることになる。
人工臼歯排列用治具の近心側部６は、図１に示すように肉薄部分を有しているが、近心側部の肉薄部分が取り除かれた人工臼歯排列用治具としてもよい（図示せず。）。これによっても、既に上顎咬合堤に排列された上顎人工犬歯、下顎咬合堤に排列された下顎人工犬歯があっても、人工臼歯排列用治具が支障なく使用できることになる。
【００２２】
図１に示される人工臼歯排列用治具１は左用であるが、右用の人工臼歯排列用治具は、人工臼歯排列用治具１とは鏡面対象といえるようなものであり、上顎人工臼歯収容保持部に収容保持される上顎人工臼歯が、上顎右用の第１小臼歯、第２小臼歯、第１大臼歯、第２大臼歯の４種、下顎人工臼歯収容保持部に収容保持される下顎人工臼歯が、前記上顎右用人工臼歯と対合歯となる下顎右用の第１小臼歯、第２小臼歯、第１大臼歯、第２大臼歯の４種であること等が、人工臼歯排列用治具１とは異なるに過ぎないといえることから、詳細な説明は省略する。
【００２３】
フルバランスドオクルージョンで咬合する人工臼歯の義歯であっても、患者によって必要とする人工臼歯のサイズが異なることから、実際は、この咬合様式の人工臼歯の人工臼歯排列用治具としては、人工臼歯のサイズの違い、さらに上下顎左用、上下顎右用に対応した複数種の人工臼歯排列用治具を揃えておき、そのうちから患者に適した人工臼歯に用いる人工臼歯排列用治具を選択して使用することが必要である。
例えば、人工臼歯のサイズをＳ、Ｍ、Ｌの３種とすると、この咬合様式の人工臼歯排列用治具は、Ｓサイズの上下顎の人工臼歯に適した左用と右用の人工臼歯排列用治具からなるＳサイズ用セット、Ｍサイズの上下顎の人工臼歯に適した左用と右用の人工臼歯排列用治具からなるＭサイズ用セット、Ｌサイズの上下顎の人工臼歯に適した左用と右用の人工臼歯排列用治具からなるＬサイズ用セットの３セットを揃えておくことになる。
種々の実験等を試行したところ、この咬合様式に適した人工臼歯排列用治具としては、Ｓサイズ用セット、Ｍサイズ用セット、Ｌサイズ用セットを揃えておけば、この咬合様式で咬合する人工臼歯の義歯を必要とする殆どの患者に対応させることができることが確認されている。
【００２４】
人工臼歯排列用治具１は、例えば、以下のようにして作製することができる。
すなわち、Ｍサイズの人工臼歯（上顎左用の第１小臼歯、第２小臼歯、第１大臼歯、第２大臼歯、上顎右用の第１小臼歯、第２小臼歯、第１大臼歯、第２大臼歯、下顎左用の第１小臼歯、第２小臼歯、第１大臼歯、第２大臼歯、下顎右用の第１小臼歯、第２小臼歯、第１大臼歯、第２大臼歯の合計１６の人工臼歯をいう。）を用いて、上顎咬合堤、下顎咬合堤にこれら人工臼歯を、通法に従ってフルバランスドオクルージョンが得られるように排列し、歯肉形成を行って上顎蝋義歯と下顎蝋義歯を作製し、Ｍサイズの人工臼歯用の人工臼歯排列用治具の作製に用いる原型とする。
図２に得られた原型となる上顎蝋義歯１９と下顎蝋義歯２０を示し、図３に上顎蝋義歯１９と下顎蝋義歯２０がフルバランスドオクルージョンで咬合することを示す。
そこで、この上顎蝋義歯１９および下顎蝋義歯２０を利用して、図１に示すような左用の人工臼歯排列用治具１を作製するには、以下の方法が例示できるが、これに限られるものではない。
図２に示す上顎蝋義歯１９の左側の臼歯部にレーザー光を照射し三次元計測して、三次元データを得、下顎蝋義歯２０の左側の臼歯部にレーザー光を照射し三次元計測して、三次元データを得、得られたこれらの三次元データに基づき、ＣＡＤ／ＣＡＭシステムを利用して、例えば、ＮＣ加工機で左用の人工臼歯排列用治具を作製する。
右用の人工臼歯排列用治具は、図２に示す上顎蝋義歯１９の右側の臼歯部にレーザー光を照射し三次元計測して、三次元データを得、下顎蝋義歯２０の右側の臼歯部にレーザー光を照射し三次元計測して、三次元データを得、得られたこれらの三次元データに基づき、ＣＡＤ／ＣＡＭシステムを利用して、例えば、ＮＣ加工機で作製する。
【００２５】
このような方法で作製される人工臼歯排列用治具に用いる材料としては、ポリプロピレン、ポリメチルメタクリレート、ＡＢＳ樹脂等の合成樹脂、ステンレス合金、アルミ合金等の金属が採用できる。
人工臼歯排列用治具が透明な合成樹脂製であれば、上顎人工臼歯収容保持部に上顎用人工臼歯の各歯冠部側、下顎人工臼歯収容保持部に下顎用人工臼歯の各歯冠部側がそれぞれ収容保持された状態において、側方から上下顎の人工臼歯の咬合状態が観察できることになる。
【００２６】
人工臼歯排列用治具が合成樹脂の場合は、３Ｄプリンター等による造形手段を採用してもよい。
以上のようにして、Ｍサイズ用の人工臼歯排列用治具のセットが得られることになる。
Ｓサイズ用の人工臼歯排列用治具、Ｌサイズ用の人工臼歯排列用治具も、同様にして作製すればよいことから、詳細な説明は省略する。
【００２７】
次に、人工臼歯排列用治具１を用いて、上顎人工臼歯を咬合堤に先に排列する上顎法によって総義歯を作製するまでの操作を説明する。
患者に適する咬合様式として、例えば、フルバランスドオクルージョンが選定され、それに用いる人工臼歯とそのサイズが決定されたら、それに対応する左用の人工臼歯排列用治具と右用の人工臼歯排列用治具のセットを選定する。
以下、人工臼歯のサイズをＭとして説明する。
人工臼歯は、フルバランスドオクルージョンでサイズＭの上顎人工臼歯を仮止めした蝋板と対合歯となるフルバランスドオクルージョンでサイズＭの下顎人工臼歯を仮止めした蝋板から取り外して用いる。
【００２８】
以下、左用の人工臼歯排列用治具を用いて、左用の上顎連結人工臼歯の作製と上顎咬合堤への排列について説明する。
図４に示すように、左用の人工臼歯排列用治具１の上顎人工臼歯収容保持部８に上顎左用の第１小臼歯１１、第２小臼歯１２、第１大臼歯１３、第２大臼歯１４の各歯冠部側を収容保持させる。これら人工臼歯は天然歯の順に隣接して上顎人工臼歯収容保持部８に引き抜き可能に収容保持されている。
【００２９】
より具体的には、これら人工臼歯が上顎人工臼歯収容保持部８に収容保持された状態において、その頬側内壁面は第１小臼歯１１、第２小臼歯１２、第１大臼歯１３、第２大臼歯１４の各頬側面と接触し、舌側内壁面は各舌側面と接触し、遠心内壁面は第２大臼歯１４の遠心面と接触し、近心内壁面は第１小臼歯１１の近心面と接触しており、これら人工臼歯が上顎人工臼歯収容保持部８にがたつくことなく安定して収容保持されている。
上顎人工臼歯収容保持部８に第１小臼歯１１、第２小臼歯１２、第１大臼歯１３、第２大臼歯１４の各歯冠部側が収容保持された状態において、これら人工臼歯の最大豊隆部が板状体２の表面から露出するように、上顎人工臼歯収容保持部８に収容保持されおり、これにより、これら人工臼歯が抜き出し可能となっている。
また、図４に示されるように、これら人工臼歯が上顎人工臼歯収容保持部８に収容保持された状態において、隣接する人工臼歯との間には鼓形歯間空隙（より具体的には、第１小臼歯１１と第２小臼歯１２の間の鼓形歯間空隙２１、第２小臼歯１２と第１大臼歯１３の間の鼓形歯間空隙２２、第１大臼歯１３と第２大臼歯１４の間の鼓形歯間空隙２３）が生じている。
【００３０】
そして、図４に示された各鼓形歯間空隙２１、２２、２３に溶融したワックスをワックススパチュラ等を使用して装填し、ワックスを冷却させることで、図５に示すように各人工臼歯は人工臼歯排列用治具１の上顎人工臼歯収容保持部８に収容保持された状態のまま、ずれたりすることなくワックスｗで連結され、左用の上顎連結人工臼歯２５が得られる。
【００３１】
図６に上顎人工臼歯収容保持部８から取り出した上顎連結人工臼歯２５を示す。
【００３２】
上顎連結人工臼歯２５は、以下のようにして上顎咬合堤の左側臼歯部に排列すればよい。
すなわち、咬合器に上顎咬合床が設けられた上顎作業模型２７が装着された状態において、通法に従って、ワックススパチュラ等を用い上顎咬合堤２８の左側臼歯部の蝋を切除または溶融したり軟化させたりして適量除去する等の操作を行った後、咬合平面板２９を用い、咬合器が閉じた状態において、咬合平面板２９の表面を仮想咬合平面とし、これを基準とし、仮想咬合平面と上顎連結人工臼歯２５の各人工臼歯の咬頭との距離がそれぞれ所定の距離となるように調整等して、ワックススパチュラ等を用い上顎連結人工臼歯２５の歯頸部側を、上顎咬合堤２８の左側臼歯部に、通法に従って、埋設して排列する。
上顎連結人工臼歯が上顎咬合堤の左側臼歯部に排列されると、連結に用いたワックスは上顎咬合堤の蝋と一体化して上顎連結人工臼歯の歯頸部側を埋設するワックスとなる。
図７は、すでに前歯部に上顎前歯が排列された上顎咬合床が設けられた上顎作業模型２７を咬合器（図示せず。以下同様）に装着した状態において、咬合平面板２９を用い、その表面を仮想咬合平面として、上顎連結人工臼歯２５が上顎咬合堤２８の左側臼歯部に排列された状態を示している。
【００３３】
右用の人工臼歯排列用治具を用いて上顎右用の第１小臼歯、第２小臼歯、第１大臼歯、第２大臼歯をワックスで連結して右用の上顎連結人工臼歯を得、これを上顎咬合堤の右側臼歯部に排列する操作方法は、前述した左用の人工臼歯排列用治具１を用いて上顎左用の第１小臼歯、第２小臼歯、第１大臼歯、第２大臼歯をワックスで連結して左用の上顎連結人工臼歯を得、これを上顎咬合堤の左側臼歯部に排列する操作方法に準じて行えばよいことから詳細な説明は省略する。
【００３４】
次いで、咬合器が開いた状態において、咬合平面板２９を取り除き、咬合器に下顎咬合床が設けられた下顎作業模型を装着する。
ここにおいて、咬合器には、前歯と右用と左用の上顎連結人工臼歯がそれぞれ排列された上顎咬合床が設けられた上顎作業模型と、前歯が排列された下顎咬合床が設けられた下顎作業模型とが装着されたことになる。
【００３５】
この状態において、排列された左用の上顎連結人工臼歯２５の歯冠部側に人工臼歯排列用治具１を戻して、上顎連結人工臼歯２５を上顎人工臼歯収容保持部８で収容保持する。
排列された左用の上顎連結人工臼歯２５の歯冠部側に人工臼歯排列用治具１を戻す操作をする際、人工臼歯排列用治具１は近心側部６が肉薄部分を有していること、および、上顎連結人工臼歯２５の第１小臼歯１１の近心面側が露出するようになっていることから、既に排列されている上顎左用の犬歯に人工臼歯排列用治具１の近心側部６が当たったり等することなく、迅速、確実かつ容易に、人工臼歯排列用治具１を戻すことができる。
次いで、排列された左用の上顎連結人工臼歯２５の歯冠部側に人工臼歯排列用治具１を戻して、上顎連結人工臼歯２５の歯冠部側を上顎人工臼歯収容保持部８に収容保持した状態において、下顎人工臼歯収容保持部９に、下顎左用の第１小臼歯、第２小臼歯、第１大臼歯、第２大臼歯の各歯冠部側を収容保持するが、この操作においても、人工臼歯排列用治具１は近心側部６が肉薄部分を有していること、および、下顎左用の第１小臼歯の近心面側が露出するようになっていることから、人工臼歯排列用治具１の近心側部６がじゃまになることなく、既に排列されている上顎左側の犬歯と下顎左用の第１小臼歯が咬合する状態で、下顎左用の第１小臼歯が下顎用人工臼歯収容保持部９に収容保持されることになる。
図８に示すように、排列された左用の上顎連結人工臼歯２５の歯冠部側に人工臼歯排列用治具１を戻して上顎連結人工臼歯２５が上顎人工臼歯収容保持部８で収容保持され、下顎人工臼歯収容保持部９に、下顎左用の第１小臼歯１５、第２小臼歯１６、第１大臼歯１７、第２大臼歯１８の各歯冠部側が収容保持されており、上顎連結人工臼歯２５とこれらの人工臼歯はフルバランスドオクルージョンで咬合したと同等な状態となっていることになる。
【００３６】
図８に示す状態から、下顎左用の第１小臼歯１５、第２小臼歯１６、第１大臼歯１７、第２大臼歯１８を、以下のようにして下顎作業模型３０に設けた下顎咬合堤３１の左側臼歯部に排列すればよい。
すなわち、通法に従って、ワックススパチュラ等を用い下顎咬合堤３１の左側臼歯部の蝋を切除または溶融したり軟化させたりして適量除去する等の操作を行った後、咬合器の閉じた状態において、上顎連結人工臼歯２５と下顎左用の第１小臼歯１５、第２小臼歯１６、第１大臼歯１７、第２大臼歯１８を人工臼歯排列用治具１にフルバランスドオクルージョンで咬合した状態と同等な状態としたままで、下顎咬合堤３１の左側臼歯部に第１小臼歯１５、第２小臼歯１６、第１大臼歯１７、第２大臼歯１８の各歯頸部側をワックススパチュラ等を用い、通法に従って、埋設して排列する。
なお、この状態において、人工臼歯排列用治具１は近心側部６が肉薄部分を有していること、および、下顎人工臼歯収容保持部９に収容保持された第１小臼歯１５の近心面側が露出するようになっていることから、既に排列されている下顎左側の犬歯に人工臼歯排列用治具１の近心側部６が当たったり等することにはならない。
図９は下顎咬合堤３１の左側臼歯部に第１小臼歯１５、第２小臼歯１６、第１大臼歯１７、第２大臼歯１８が排列された状態を示している。
【００３７】
咬合器を開くと、それに伴って、例えば、人工臼歯排列用治具１の上顎人工臼歯収容保持部８に上顎連結人工臼歯２５の歯冠部側を収容保持したままで上顎作業模型２７が回動する一方、下顎左用の第１小臼歯１５、第２小臼歯１６、第１大臼歯１７、第２大臼歯１８は、各歯冠部側が下顎人工臼歯収容保持部９から抜き出され、下顎人工臼歯は下顎咬合堤３１に排列されたまま下顎作業模型３０に残る。
その後、人工臼歯排列用治具１を上顎連結人工臼歯２５から取り除く。
【００３８】
咬合堤に排列された右用の上顎連結人工臼歯の歯冠部側に右用の人工臼歯排列用治具を戻して上顎連結人工臼歯を上顎人工臼歯収容保持部で収容保持した状態とし、下顎人工臼歯収容保持部に、下顎右用の第１小臼歯、第２小臼歯、第１大臼歯、第２大臼歯の各歯冠部側を収容保持させ、下顎右用の４歯を、下顎咬合堤の右側臼歯部に排列する操作方法等は、前述した下顎左用の第１小臼歯、第２小臼歯、第１大臼歯、第２大臼歯を、下顎咬合堤の左側臼歯部に排列する操作方法に準じて行えばよいことから詳細な説明は省略する。
【００３９】
そして、左右の上顎連結人工臼歯が排列された上顎咬合床に、通法に従って、歯肉を形成することで上顎蝋義歯が得られ、同様に、左右の下顎第１小臼歯、第２小臼歯、第１大臼歯、第２大臼歯が排列された下顎咬合床に、歯肉を形成することで下顎蝋義歯が得られる。
得られた上顎蝋義歯と下顎蝋義歯は、フルバランスドオクルージョンで咬合する蝋義歯である。
【００４０】
通法に従って、上顎蝋義歯および下顎蝋義歯をそれぞれフラスコ内に石膏埋没し、流蝋して得られた各空洞に義歯床用の餅状レジンをそれぞれ填入し、餅状レジンを重合硬化させて上顎義歯および下顎義歯を得た後、それぞれを石膏から掘り出し、修正、研磨等施し、患者の口腔内に試適し、必要に応じて咬合器に装着し、修正、研磨等を施し上顎義歯、下顎義歯を完成させれば、フルバランスドオクルージョンで咬合する臼歯を有する義歯を得ることができる。
なお、流蝋によって、人工臼歯を連結するのに用いられたワックスは咬合堤のワックスとともに一緒に除去される。
【００４１】
ワックスを用いて人工臼歯を連結して連結人工臼歯を作製するに代え、即時重合レジンを用いて人工臼歯を連結して連結人工臼歯を作製するようにしてもよい。この場合、連結人工臼歯を咬合堤に埋設し排列した後、歯肉形成して得られた蝋義歯をフラスコ内に石膏埋没し、流蝋して得られた空洞に義歯床用の餅状レジンを填入し、餅状レジンを重合硬化させれば、即時重合レジンと一体となり義歯床の一部となった義歯が得られる。
【００４２】
以上は、上顎人工臼歯を咬合堤に先に排列する上顎法によって総義歯を作製するまでの操作を説明したが、これに限られず、下顎人工臼歯を人工臼歯排列用治具を用いて下顎連結人工臼歯とし、これを咬合堤に先に排列する下顎法によって総義歯を作製するようにしてもよい。
【００４３】
以上説明した図１に示す人工臼歯排列用治具等は、咬合様式としてフルバランスドオクルージョンに適したものとして説明したが、これに限られず、例えば、咬合様式としてリンガライズドオクルージョンに適した人工臼歯排列用治具であってもよい。
リンガライズドオクルージョンに適した人工臼歯排列用治具は、上顎人工臼歯と下顎人工臼歯の咬合形態が異なることから、図１に示す人工臼歯排列用治具１とは人工臼歯収容保持部の形状等が異なるものの、このことを除けば、人工臼歯排列用治具１と同様なことから詳細な説明は省略する。
リンガライズドオクルージョンで咬合する人工臼歯の場合であっても、フルバランスドオクルージョンで説明したように、Ｓ、Ｍ、Ｌサイズのセットを揃えておくことになるのは同様である。
【符号の説明】
【００４４】
１  人工臼歯排列用治具
２  板状体
３  人工臼歯収容保持部
４  頬側部
５  舌側部
６  近心側部
７  遠心側部
８  上顎人工臼歯収容保持部
９  下顎人工臼歯収容保持部
【図１】
0006708856.tif 000002
【図２】
0006708856.tif 000003
【図３】
0006708856.tif 000004
【図４】
0006708856.tif 000005
【図５】
0006708856.tif 000006
【図６】
0006708856.tif 000007
【図７】
0006708856.tif 000008
【図８】
0006708856.tif 000009
【図９】
0006708856.tif 000010